(57)【要約】【課題】コスト・製造工程・筐体の厚みの増加を抑制しつつ操作部内部からの光の筐体の合わせ目からの漏れを防止するキー操作部を構成する板金部材及びこれを有する携帯端末を提供する。【解決手段】キー操作部３を構成するキーフレーム３２の端部において、第２筐体２の垂直方向へと折り曲げられた光漏れ防止リブ３２１を有し、光漏れ防止リブ３２１の先端は、ＬＥＤ３５１が実装された基板３５の主面とほぼ同一な位置まで折り曲げられている。【選択図】図５
2009212016.tif 000002
【特許請求の範囲】
【請求項１】
筐体内に配設されるキー操作部を構成する板金部材であって、
前記キー操作部は、光照射部が実装された基板、を有し、
前記板金部材及び前記基板は、前記筐体の幅方向と並行に配設され、
前記板金部材は、前記筐体の厚さ方向に折り曲げられたリブを端部に有し、
前記リブの先端部は、前記基板の主面とほぼ同一面に達する
ことを特徴とするキー操作部を構成する板金部材。
【請求項２】
前記板金部材は、前記筐体の強度補強部材を兼ねる
ことを特徴とする請求項１に記載のキー操作部を構成する板金部材。
【請求項３】
前記リブの寸法が、ラバーシートの端部の寸法よりも小さく形成される
ことを特徴とする請求項１または２に記載のキー操作部を構成する板金部材。
【請求項４】
筐体と、
前記筐体内に配設されるキー操作部と、
を有し、
前記キー操作部は、板金部材と、光照射部が実装された基板と、を有し、
前記板金部材及び前記基板は、前記筐体の幅方向と並行に配設され、
前記板金部材は、前記筐体の厚さ方向に折り曲げられたリブを端部に有し、
前記リブの先端部は、前記基板の主面とほぼ同一面に達する
ことを特徴とする携帯端末。
【発明の詳細な説明】
【技術分野】
【０００１】
本発明は、キー操作部の操作等に応じてキー操作部が発光するキー操作部を構成する板金部材及びこれを有する携帯端末に関する。
【背景技術】
【０００２】
携帯電話機、ＰＨＳ（Personal Handy-phone System）、ＰＤＡ（Personal Digital Assistants）等の携帯電子機器は、複数のキー部により構成された操作部を有するものが多い。
ここで、操作部の内部にＬＥＤ（Light Emission Diode）等の発光体が配設されており、被操作時にこれらの発光体が光ることによって、操作部が光って見える携帯電子機器が存在する。
【０００３】
このように操作部が光って見える携帯電子機器は、例えば操作部に対する操作時に操作部が光るように構成される。しかし、例えば筐体内部方向への光の侵入防止対策があまりされておらず、例えば筐体の合わせ目などから本来操作部のみを光らせるための光が漏れ出してしまう、という事態が生じることがあった。
このような事態を回避するための携帯電子機器として、例えば特許文献１及び２に開示された技術がある。
【０００４】
特許文献１には、基板を保持するためのシャーシに一部にリブを設けることにより、折りたたみ式携帯電話機を折り畳んだとき発生する外観部品嵌合部からの光漏れを防止する携帯端末機が開示されている。
また、特許文献２には、キートップ組立体は、シート部の上面に敷設された反射シートを有し、反射シートにより、シート部の上面に抜ける光を無くして、発光ダイオードより出た光が有効に利用され、各キートップがより明るく光るようにされ、且つ、キートップの周りの箇所からの光の漏れが防止される携帯電話機が開示されている。
【０００５】
【特許文献１】特開２００２−５１１３２号公報
【特許文献２】特開２００３−２７３９９３号公報
【発明の開示】
【発明が解決しようとする課題】
【０００６】
しかし、特許文献１に開示された技術では、筐体内部からの光漏れを防止するものではない、という不利益があった。
また、特許文献２に開示された技術では、キートップの周りの箇所からの光漏れは防止できるが、携帯電話機の製造時に反射シートを貼付するための工程が加わり、コストが増大する、という不利益があった。また、反射シートのために筐体の厚みが増加する、という不利益があった。
【０００７】
本発明は、上述した不利益を解消するため、コスト・製造工程・筐体の厚みの増加を抑制しつつ操作部内部からの光の筐体の合わせ目からの漏れを防止するキー操作部を構成する板金部材及びこれを有する携帯端末を提供することを目的とする。
【課題を解決するための手段】
【０００８】
上述した不利益を解消するために、第１の発明の携帯端末は、前記キー操作部は、板金部材と、光照射部が実装された基板と、を有し、前記板金部材及び前記基板は、前記筐体の幅方向と並行に配設され、前記板金部材は、前記筐体の厚さ方向に折り曲げられたリブを端部に有し、前記リブの先端部は、前記基板の主面とほぼ同一面に達する。
【０００９】
好適には、前記板金部材は、前記筐体の強度補強部材を兼ねる。
【発明の効果】
【００１０】
本発明によれば、コスト・製造工程・筐体の厚みの増加を抑制しつつ操作部内部からの光の筐体の合わせ目からの漏れを防止するキー操作部を構成する板金部材及びこれを有する携帯端末を提供することができる。
【発明を実施するための最良の形態】
【００１１】
以下、本発明の実施形態の携帯端末１００について説明する。
図１は、携帯端末１００の外観の一例を示す図である。
図１に示すように、本実施形態では、携帯端末１００は折り畳み式の携帯電話機を想定している、
図１（ａ）は携帯端末１００の開いた状態（開状態）を正面から見た図であり、図１（ｂ）は携帯端末１００の閉じた状態（閉状態）を正面から見た図である。
【００１２】
図１（ａ）に示すように、携帯端末１００は、第１筐体１０１、第２筐体１０２を有する。第１筐体１０１と第２筐体１０２とは、ヒンジ部１０３により係合される。図１（ａ）に示すように、第１筐体１０１は、表示部１、スピーカ２を有する。表示部１は、例えばＬＣＤ（Liquid Crystal Display）や有機ＥＬ（Electro Luminescence）により構成される表示デバイスであり、携帯端末１００の有する各種機能に係る表示を行う。スピーカ２は、例えば携帯端末１００の音声通話時に使用される音声鳴動用のスピーカである。また、図１（ａ）に示すように、第２筐体１０２はキー操作部３、マイク４を有する。キー操作部３は、携帯端末１００の各種機能に使用されるテンキーや十字キー等の操作デバイスである。マイク４は、例えば携帯端末１００の音声通話時に使用される音声取り込み用のマイクである。
携帯端末１００の第１筐体１０１及び第２筐体１０２は、上述した表示部１やキー操作部３が内側に隠れるように、ヒンジ部１０３により互いに回動が可能に構成されており、図１（ｂ）に示すように閉状態へと遷移可能である。
【００１３】
キー操作部３は、被操作時にキー操作部３全体が光る（キーバックライト）ように構成されている。
以下、キー操作部３の構成について説明する。
図２は、第２筐体１０２におけるキー操作部３に関連する構成要素を示した図である。
図２に示すように、キー操作部３は、第２筐体１０２のフロントケース５から順に、キートップ３１、キーフレーム３２、ラバーシート３３、メタルスイッチシート３４、基板３５の各構成要素が積層されて構成される。
フロントケース５は、携帯端末１００の閉状態において内側に隠れる方の第２筐体１０２のケース部材である。
【００１４】
キートップ３１は、樹脂等により形成されたキー操作部３の操作される部位であり、フロントケース５に開けられた開口部５１から第２筐体１０２の外部に露出する。本実施形態では、キートップ３１は、キー操作部３の全てのキー（例えば、十字キー、機能キー、テンキーなど）が一体に形成されたものとして構成されている。なお、本発明ではキー操作部に対応する全てのキーのキートップが一体に形成されている必要はなく、例えば十字キー及び機能キーとテンキーとでキートップが分かれている構成であってもよい。
【００１５】
キーフレーム３２は、キー操作部３の強度維持、キートップ３１を構成する複数のキーの個別の操作性向上のためのフレーム部材であり、例えば所定の強度を有する金属材料により形成される。キーフレーム３２は、キートップ３１の各キーに対応する部位が開口した構成を有し、それぞれのキーに対応した開口部には後述するラバーシート３３の突出部３３１が嵌合される。また、キーフレーム３２は金属材料により形成されるため、第２筐体２の強度向上の役割も果たす。
【００１６】
ラバーシート３３は、キートップ３１に対するキー操作による押圧を後述するメタルスイッチシート３４に形成されたメタルスイッチ３４１に伝達するためのラバー部材である。ラバーシート３３には、キートップ３１の各キー部分に対応する位置に突出部３３１が形成され、キートップ３１のいずれかのキーが押下されたとき、押下されたキーに対応した位置の突出部３３１が変形し（凹み）、メタルスイッチシート３４のメタルスイッチ３４１を押圧する。
【００１７】
メタルスイッチシート３４は、キートップ３１に対するキー操作による押圧をラバーシート３３を介して検出し、図示しない制御部へ検出信号を転送する。メタルスイッチシート３４のキートップ３１の各キーに対応する位置にはメタルスイッチ３４１が形成されており、メタルスイッチ３４１がラバーシート３３を介して伝達されたキートップ３１に対する押圧を検出する構成である。すなわち、メタルスイッチシート３４上のメタルスイッチ３４１は、キートップ３１を構成する複数のキーに対応した数だけ形成されている。
【００１８】
基板３５は、ＬＥＤ（Light Emitting Diode）３５１が実装された基板である。ＬＥＤ３５１は、基板３５上に例えば複数個実装され、キー操作部３に対するキー操作に応じて点灯する。すなわち、キートップ３１に対する押圧を検出したメタルスイッチ３４１が、図示しない制御部等に検出信号を転送することにより制御部はキー操作を検知するが、キー操作を検知した操作部は検知から所定の時間だけＬＥＤ３５１を点灯するように制御を行う。
ＬＥＤ３５１から発せられた光は、メタルスイッチシート３４及びラバーシート３３を透過し、キートップ３１のキーとキーの間や各キーの文字刻印（「１」、「あ」、「ＡＢＣ」等）から第２筐体２の外部へと放出される。これにより、例えば暗いところでもキー操作を行うことができるようになる。
【００１９】
本実施形態の携帯端末１００では、基板３５に実装されたＬＥＤ３５１が照射する光が意図された位置（例えばキーとキーの間や各キーの文字刻印）以外から放出されないようにするために、キーフレーム３２に光漏れ防止リブ３２１が形成されている。
以下、キーフレーム３２の光漏れ防止リブ３２１について説明する。
図３〜図５は、キーフレーム３２の光漏れ防止リブ３２１について説明するための図である。
図３は、第２筐体２のキー操作部３を正面から見た図である。
図４は、図３の線Ａ−Ａ’における断面図である。
また、図５は第２筐体２の端部付近（図４に示す範囲Ｂ付近）の拡大図である。
【００２０】
キーフレーム３２は、図４及び図５に示すように、光漏れ防止リブ３２１を有する。
光漏れ防止リブ３２１は、キーフレーム３２の端部において、キーフレーム３２の主面に対してほぼ直角に曲げられた折り光漏れ防止リブである。キーフレーム３２を含むキー操作部３の各構成の主面は、図４及び図５に示すように、携帯端末１００の第２筐体２の幅方向に対して並行に配設されるため、光漏れ防止リブ３２１は第２筐体２の垂直方向へと折り曲げられていることになる。
ここで、図４及び図５に示すように、光漏れ防止リブ３２１の先端が基板３５の主面とほぼ同一な面に接する位置まで折り曲げられているため、ＬＥＤ３５１から照射される光は光漏れ防止リブ３２１に遮られ、図４及び図５における水平方向（第２筐体２における幅方向）には漏れることがない。
【００２１】
なお、図５に示すように、ラバーシートの端部（光漏れ防止リブ３２１に隣接する部位）の厚さは、光漏れ防止リブ３２１の寸法よりも若干厚く形成されている。これは、ラバーシートの端部の厚さよりも光漏れ防止リブ３２１の寸法が大きい場合には、光漏れ防止リブ３２１と基板３５とが直接接触してしまい、携帯端末１００の組み立て時にうまく組み立てることができない、等の事態が生じることがあるからである。
【００２２】
また、キーフレーム３２に光漏れ防止リブ３２１が形成されているために、図４及び図５における垂直方向への強度（第２筐体２における厚み方向）が上昇する。このため、第２筐体２の厚みを厚くすることなく、厚み方向への強度が向上する。
【００２３】
以上説明したように、本実施形態の携帯端末１００によれば、キー操作部３を構成するキーフレーム３２の端部において、第２筐体２の垂直方向へと折り曲げられた光漏れ防止リブ３２１を有し、光漏れ防止リブ３２１の先端は、ＬＥＤ３５１が実装された基板３５の主面とほぼ同一な位置まで折り曲げられているため、ＬＥＤ３５１から照射される光が第２筐体の幅方向に漏れることがない。
また、本実施形態の携帯端末１００によれば、キー操作部３を構成するキーフレーム３２が金属部材で形成されているため、第２筐体２の物理的強度が向上する。さらに、キーフレーム３２の光漏れ防止リブ３２１は、第２筐体２の厚み方向へと折り曲げられているため、第２筐体２のアルミ方向への物理的強度がさらに向上する。
従って、本実施形態の携帯端末１００によれば、キー操作部３を構成するキーフレーム３２の端部に光漏れ防止リブ３２１を形成したのみであるため、携帯端末１００の製造時の工程数増加、部品点数増加、またこれらに伴うコスト増大や第２筐体２の厚み増大といった不利益なしに光漏れ防止及び第２筐体２の強度向上を実現することができる。
【００２４】
なお、上述した実施形態よりもさらに強固にＬＥＤ３５１の光漏れ防止を実施するために、上述した実施形態の変形例として以下のような例も考えられる。すなわち、基板３５及び、携帯端末１００の主要な機能を実現するための電子部品（ＬＳＩ等）を実装した回路基板（図示しない）を電気的及び／または磁気的に保護し、保持するシールド部材を基板３５の下部に配設し、シールド部材の端部に第２筐体２の垂直方向にリブを形成し、当該リブとキーフレーム３２の光漏れ防止リブ３２１とがほぼ接するように構成することにより、ＬＥＤ３５１からの第２筐体２の幅方向への光漏れをより確実に防止することができる。
【００２５】
本発明は上述した実施形態には限定されない。
すなわち、本発明の実施に際しては、本発明の技術的範囲またはその均等の範囲内において、上述した実施形態の構成要素に関し様々な変更、コンビネーション、サブコンビネーション、並びに代替を行ってもよい。
上述した実施形態においては、携帯端末１００は折り畳み型の携帯電話機であるとしたが、本発明はこれには限定されない。発光構造を有する電子機器類であれば、折り畳み型以外の携帯電話機、ＰＤＡ（Personal Digital Assistant）等の電子機器であってもよい。
【図面の簡単な説明】
【００２６】
【図１】図１は、携帯端末１００の外観の一例を示す図である。
【図２】図２は、第２筐体におけるキー操作部に関連する構成要素を示した図である。
【図３】図３は、第２筐体２のキー操作部を正面から見た図である。
【図４】図４は、図３に示した線Ａ−Ａ’における断面図である。
【図５】図５は、第２筐体の端部付近、すなわち図４に示す範囲Ｂ付近の拡大図である。
【符号の説明】
【００２７】
１００…携帯端末、１０１…第１筐体（筐体）、１０２…第２筐体（筐体）、１０３…ヒンジ部、１…表示部、２…スピーカ、３…キー操作部、４…マイク、５…フロントケース、５１…開口部、３１…キートップ、３１…キー操作部、３１…キートップ、３２…キーフレーム（板金部材）、３２１…光漏れ防止リブ、３３…ラバーシート、３３１…突出部、３４…メタルスイッチシート、３４１…メタルスイッチ、３５…基板、３５１…ＬＥＤ（光照射部）
【図１】
2009212016.tif 000003
【図２】
2009212016.tif 000004
【図３】
2009212016.tif 000005
【図４】
2009212016.tif 000006
【図５】
2009212016.tif 000007